(57)【要約】【課題】  搬送パレット上に載置保持した多数の遊技機を安定して運搬可能にするとともに、倉庫保管時の地震対策としても利用できるパレット連結固定用の治具を提供する。【解決手段】  パレット連結固定治具１００は、一端に搬送パレットと係脱自在なフック部１１２を有し他端に雄ネジ部が形成された伸縮部材１１０と、一端に搬送パレットと係脱自在なフック部１２２を有し他端に調整本体１２５が固着された本体部材１２０とからなる。調整本体１２５は、伸縮部材１１０側の雄ネジ部と本体部材１２０側の雌ネジ部との螺合を保持させて雌ネジ部材の回動に応じて伸縮部材１１０を伸縮させる調整状態と、雄ネジ部と雌ネジ部との螺合保持を解除して伸縮部材１１０の押し引きにより伸縮が自在な解放状態とに切り替え可能に構成される。【選択図】  図１８
2007022728.tif 000002
【特許請求の範囲】
【請求項１】
矩形平板状のパレット本体の上面に複数の遊技機が立設状態で整列支持された下段の搬送パレットと、前記下段の搬送パレットに整列支持された前記複数の遊技機の上部に載置された上段の搬送パレットとを連結させて、荷崩れを防止するパレット連結固定用の治具であって、
棒体の一端に前記搬送パレットと係脱自在なフック部を有し他端に雄ネジ部が形成された伸縮部材と、
棒体の一端に前記搬送パレットと係脱自在なフック部を有し他端に調整本体が固着された本体部材とからなり、
前記調整本体は、前記雄ネジ部と螺合し得る雌ネジ部を有する雌ネジ部材を備えるとともに、前記雄ネジ部と前記雌ネジ部との螺合を保持させて前記雌ネジ部材の回動に応じて前記伸縮部材を伸縮させる調整状態と、前記雄ネジ部と前記雌ネジ部との螺合保持を解除して前記本体部材に対して前記伸縮部材を引き出しまたは押し込んで前記伸縮部材の伸縮が自在な解放状態とに切り替え可能に構成され、
前記調整本体を前記解放状態に設定して前記伸縮部材のフック部及び前記本体部材のフック部をそれぞれ前記上段の搬送パレット及び前記下段の搬送パレットに係合させ、前記調整本体を前記調整状態に設定して前記雌ネジ部材を回動させたときに螺合に応じて前記伸縮部材を伸縮させて上下の前記搬送パレットが連結固定されるように構成したことを特徴とするパレット連結用の固定治具。
【請求項２】
前記調整本体は、
基端側に前記棒体が固着され先端側に前記雄ネジ部を収容する円筒状の軸端収容部材と、
前記軸端収容部材に当該軸端収容部材の軸まわりに回動可能に枢結されたナット部材と、
前記雄ネジ部と螺合し得る雌ネジ部を有し前記ナット部材に径方向にのみ変位可能に支持された雌ネジ部材と、
前記雌ネジ部材を前記雄ネジ部に螺合させた状態に保持させる調整位置及び前記雌ネジ部材を前記径方向に変位自在な状態にする解放位置に切り替える切り替え部材とを備え、
前記切り替え部材を前記解放位置に設定したときに、前記本体部材に対して前記伸縮部材を引き出しまたは押し込んで前記伸縮部材の伸縮が自在な前記解放状態になり、前記切り替え部材を前記調整位置に設定して前記ナット部材を回動させたときに、前記ナット部材とともに回動する前記雌ネジ部材の螺合に応じて前記伸縮部材が伸縮される前記調整状態になるように構成したことを特徴とする請求項１に記載のパレット連結固定用の治具。
【発明の詳細な説明】
【技術分野】
【０００１】
本発明は、複数の遊技機が積載支持された搬送パレットを上下二段に積み上げた状態で上段の搬送パレットが荷崩れしないように上下の搬送パレットを連結固定するための治具に関する。
【背景技術】
【０００２】
パチンコ機やアレンジボール機、雀球遊技機などの遊技機は方形枠状の外枠に遊技構成部材を有してなる遊技機本体がヒンジ連結されて薄型の縦長方形状に構成されており、工場で組み立て梱包された状態で遊技ホール等の出荷先に出荷される。このとき、梱包状態の遊技機を矩形板状の搬送パレット上に複数台載置し、搬送パレットをフォークリフト等によりトラックに積み卸しして輸送出荷される方式が従来から一般的に用いられている。この際、搬送中に遊技機が倒れたりパレット上から崩れ落ちると問題であるため、搬送パレット上に複数の遊技機を縦置きもしくは横置きに立設させて整列載置するとともに全体外周を留めひも、ゴムバンド等で縛って一体に固定し、これを１ユニットとして運搬する方法が広く用いられていた。
【発明の開示】
【発明が解決しようとする課題】
【０００３】
上記のようにユニット化すれば、確かにパレット単位で運搬することにより複数台の遊技機を一度に搬送することが可能であり、遊技機を単体で運搬するのと比較して一定程度出荷効率を向上させることができる。しかしながら、大規模な遊技施設への出荷や保管倉庫への運搬のように、出荷台数が多数に上る場合には未だ出荷作業に長時間を要し、更なる出荷効率の向上が求められていた。
【０００４】
また、製造工場から出荷された遊技機を一旦倉庫で保管するような場合には、保管スペースを効率的に活用するため、上記ユニットを上下に複数段（例えば３〜５段）縦積みして保管する方法が用いられるが、例えば保管中に大規模な地震が発生したりすると、上下の搬送パレットが左右逆方向に変位して積み上げられた遊技機が崩れ落ちるおそれもあり、対策が急務となっていた。
【０００５】
一方、複数のユニットを縦積みした状態で上段の搬送パレットと下段の搬送パレットとを、例えば板状の連結部材をボルト締結して連結固定するような手段を採用すると、連結部材を固定するための作業や分離するための作業が煩雑で却って出荷効率を低下させ、あるいは当該作業を含めた保管費用が増大するという問題があった。
【０００６】
本発明はこのような問題に鑑みてなされたものであり、繁雑な作業を伴うことなく多数の遊技機を安定して運搬可能にするとともに、倉庫保管時の地震対策としても利用可能なパレット連結固定用の治具を提供することを目的とする。
【課題を解決するための手段】
【０００７】
上記目的達成のため、本発明は、矩形平板状のパレット本体の上面に複数の遊技機が立設状態で整列支持された下段の搬送パレットと、下段の搬送パレットに整列支持された複数の遊技機の上部に載置された上段の搬送パレットとを連結させて、荷崩れを防止するパレット連結固定用の治具である。この治具は、棒体の一端に搬送パレットと係脱自在なフック部を有し他端に雄ネジ部が形成された伸縮部材と、棒体の一端に搬送パレットと係脱自在なフック部を有し他端に調整本体が固着された本体部材とからなる。調整本体は、雄ネジ部と螺合し得る雌ネジ部を有する雌ネジ部材を備えるとともに、雄ネジ部と雌ネジ部との螺合を保持させて雌ネジ部材の回動に応じて伸縮部材を伸縮させる調整状態と、雄ネジ部と雌ネジ部との螺合保持を解除して本体部材に対して伸縮部材を引き出しまたは押し込んで伸縮部材の伸縮が自在な解放状態とに切り替え可能に構成され、調整本体を解放状態に設定して伸縮部材のフック部及び本体部材のフック部をそれぞれ上段の搬送パレット及び下段の搬送パレットに係合させ、調整本体を調整状態に設定して雌ネジ部材を回動させたときに螺合に応じて伸縮部材を伸縮させて上下の搬送パレットが連結固定されるように構成する。
【０００８】
上記調整本体は、基端側に棒体が固着され先端側に雄ネジ部を収容する円筒状の軸端収容部材と、軸端収容部材に当該軸端収容部材の軸まわりに回動可能に枢結されたナット部材と、雄ネジ部と螺合し得る雌ネジ部を有しナット部材に径方向にのみ変位可能に支持された雌ネジ部材と、雌ネジ部材を雄ネジ部に螺合させた状態に保持させる調整位置及び雌ネジ部材を径方向に変位自在な状態にする解放位置に切り替える切り替え部材とを備え、切り替え部材を解放位置に設定したときに、本体部材に対して伸縮部材を引き出しまたは押し込んで伸縮部材の伸縮が自在な解放状態になり、切り替え部材を調整位置に設定してナット部材を回動させたときに、ナット部材とともに回動する雌ネジ部材の螺合に応じて伸縮部材が伸縮される調整状態になるように構成する。
【発明の効果】
【０００９】
このように構成されたパレット連結固定用の治具では、調整本体が、雄ネジ部と雌ネジ部との螺合を保持させて雌ネジ部材の回動に応じて伸縮部材を伸縮させる調整状態と、雌雄ネジ部の螺合保持を解除して伸縮部材の押し引きにより伸縮が自在な解放状態とに切り替え可能に構成されており、調整本体を解放状態に設定して伸縮部材側と本体部材側のフック部を上下のパレット間隔に合わせて迅速に伸縮させて上下の搬送パレットに係合させ、調整本体を調整状態に設定して雌ネジ部材を回動させることで螺合に応じて伸縮部材を伸縮させて上下の搬送パレットを強固に連結固定させることができる。このため、複数の搬送パレットを連結固定した状態で複数ユニットを一括してフォークリフト等により運搬することができ、出荷効率を向上させることができる。また倉庫保管時には、上記出荷時に連結固定された状態で新たな工数をかけることなくそのまま地震対策とすることができるほか、新たに設置する場合においても複数のパレットを迅速かつ容易に連結固定することができる。
【００１０】
また、雌ネジ部材をナット部材に径方向にのみ変位可能に支持させるとともに、雌ネジ部材を雄ネジ部に螺合させた状態に保持させる調整位置と、雌ネジ部材を径方向に変位自在な状態にする解放位置に切り替える切り替え部材を設ける構成によれば、作業者は切り替え部材を調整位置と解放位置とに切り替える簡単な操作で、自由な伸縮調整と螺合に応じた力を発生させる連結固定を切り替えて行うことができる。またこのような調整本体を有する治具では、雌ネジ部材がナット部材に径方向にのみ変位可能に支持されており、調整位置と解放位置との切り換えは、この雌ネジ部材の配設位置状態を切り替えることで行われる。このため、この切り替え操作に伴って調整本体や伸縮部材が回動してしまうこと（各先端のフック部の方向が変わってしまうようなこと）がなく、良好な作業性を確保することができる。
【００１１】
従って、本発明によれば、繁雑な作業を伴うことなく多数の遊技機を安定して運搬可能にするとともに、倉庫保管時の地震対策としても利用可能なパレット連結固定用の治具を提供することができる。
【発明を実施するための最良の形態】
【００１２】
以下、図面を参照して本発明の実施形態について説明する。搬送パレットに載置されて搬送される遊技機の代表例として、図１〜図３にパチンコ機を示しており、まずこれらの図面を参照しながらパチンコ機ＰＭの構成を簡単に説明する。なお図１〜図３の各図は、それぞれパチンコ機ＰＭの正面図、背面図、及び左側面図である。
【００１３】
パチンコ機ＰＭは、機枠として所定の外郭方形枠サイズに構成された固定保持用の外枠１の前側に、これに合わせた方形枠サイズに構成された開閉搭載用の前枠２が、互いの正面左側上下に配設された開閉ヒンジ３ａ，３ｂにより横開き開閉及び着脱が可能に組付けられ、常には互いの正面右側に設けられた施錠装置４を利用して閉鎖状態に保持される。前枠２の前面上部には、この領域サイズに合わせた方形状のガラス扉５が開閉可能に設けられ、その下側に、上下の球皿７ａ，７ｂ及び発射ハンドル８等が夫々装備されている。
【００１４】
ガラス扉５の背後には、方形枠サイズの収容枠６が前枠２と一体に形成されて設けられ、パチンコゲームを展開し得る遊技盤１０が、水平姿勢・位置の縦向きで着脱交換可能にセット保持されて、遊技盤前面をガラス扉５の正面に臨ませている。遊技盤１０の前面には案内レール１５に囲まれて略円形の遊技領域１１が形成され、ここに多数本の遊技釘とともに、固定入賞具や可変入賞具、図柄表示装置などの各種遊技部品が取り付けられている。前枠２の裏側には、予備賞球用のタンク２１及び整列部材２２、受電・入出力用のターミナル基板２３、球通路機構２４、制御基板２５、払い出し機構２６等を備えた裏機構盤が装備されている。
【００１５】
なお、外枠１は、それぞれ木製もしくは樹脂製の上枠板１ａと、左右枠板１ｂ，１ｃと、底枠板１ｄとから矩形枠状に形成されるとともに、前面下部において底枠板１ｄの上側に左右の枠板１ｂ，１ｃ間を繋いで配設された幕板１ｅと、幕板１ｅの裏側に配設された矩形断面状の補強連桿１ｆとを有して構成される。
【００１６】
このように概要構成されるパチンコ機ＰＭは工場内で組み立てられた後にビニール梱包されて遊技ホール等に出荷されるが、このとき梱包状態（非梱包状態の場合もある）のパチンコ機ＰＭは、図４に示す搬送パレット３０の上に立設状態で整列して載置され、これが上下２段に縦積みされたうえ、パレット連結固定用の治具（以下「パレット連結固定治具」という）で上下の搬送パレットが連結固定された状態で、トラック等に積み込まれて輸送される。
【００１７】
搬送パレットの第１の構成例を図４〜図１０に示しており、以下これらの各図を併せて参照しながら搬送パレット３０について説明する。ここで、図４は第1構成形態の搬送パレット３０を示す全体斜視図、図５は搬送パレット３０を構成する支持枠６０の後面図、図６は支持枠６０の動作変位を示す後面図、図７は支持枠６０（支持枠フレーム）の平面図、図８は支持枠６０（支持枠フレーム）の右端部の平面図、図９は支持枠６０の右端部の側面図、図１０は搬送パレット上にパチンコ機を搭載する方法を説明する斜視図である。なお、図５〜図９の各図ではパレット本体３１を省略して示している。
【００１８】
搬送パレット３０は、平面視略正方形となる矩形平板状のパレット本体３１と、このパレット本体３１の上面に並列に取り付けられた３つの支持枠６０とから構成される。なお、以下の説明においては、説明の便宜上、図４中に矢印で示す前後・左右・上下の方向をそれぞれ前後、左右、上下方向として説明する。パレット本体３１は、平板状の下面板部３２及び上面板部３４と、これら下面板部３２及び上面板部３４との間を繋いで形成された複数の支柱部３３、各支柱部の間に形成されてフォークリフトの爪を挿通させる爪挿入口３５などを有し、樹脂材料を用いて一体に成型されている。
【００１９】
上面板部３４の上には、左右に所定間隔をおいて前後に延びる右、中及び左支持基板５１，５２，５３が配設され、上面板部３４に形成されたネジ穴にボルト締結されて固定されいる。３つの支持枠６０，６０，６０は、前後に所定間隔をおいて左右に延びるようにしてこれら三つの支持基板５１，５２，５３の上に跨って固設されている。支持基板５１，５３には、パレット連結固定治具のフック部を係止するフック係止孔５５が設けられている。なお、フック係止孔を左右の支柱部３３または上面板部３４に形成しても良く、樹脂成型によらず木材等により組立てて作っても良い。
【００２０】
各支持枠６０は、前後に所定間隔をおいて互いに平行に左右方向に延びる前枠部材６１及び後枠部材６２と、これら前後の枠部材６１，６２の下端部を繋いで底面を形成する底面部材６３と、前後の枠部材６１，６２及び底面部材６３に囲まれて上方に開放する配設空間６４を左端側において閉塞する側端閉塞部材６５と、配設空間６４の右端部に位置して底面部材６３（もしくは右支持基板５１）にヒンジ６８を介して上下揺動自在に取り付けられた側端開閉部材６６とから構成される。
【００２１】
支持枠６０は、例えば板厚２．３mm程度の鋼板を打ち抜き及び曲げ成形して前後の枠部材、底面部材、側端閉塞部材及び側端開閉部材の外板部材を形成し、これらを溶接等により固着して支持枠フレームを形成したうえ、その内面にナイロン（ＰＡ）やポリエチレン（ＰＥ）等の樹脂材料で形成した保護ライナーをネジ止め等により張り付けて構成される（図７及び図８では、保護ライナーを張り付けていない支持枠フレームの構成を示す）。なお、前後の枠部材６１，６２、底面部材６３、側端閉塞部材６５及び側端開閉部材６６の各部材をそれぞれ樹脂材料で製作して組み立てても良く、あるいは側端開閉部材６６を除く各部材を樹脂成型により一体に形成しても良い。
【００２２】
側端開閉部材６６は、下端外側面においてヒンジ６８により右支持基板５１の外側面にヒンジ結合されており、図５及び図６に示すように、ヒンジ６８を中心として右支持基板５１に対して上下に揺動可能となっている。これにより、側端開閉部材６６は、前及び後枠部材６１，６２と側端閉塞部材６５により前後及び左端部が囲まれるとともに底面部材６３により底面が形成されて上方に開口した配設空間６４の右端開口部を、図１や図５等に示すように閉塞する閉塞位置と、図６（二点鎖線）及び図１０に示すように閉塞位置から外方に揺動して配設空間６４の右端開口部を外方に開放させる開放位置とに揺動移動可能である。
【００２３】
この側端開閉部材６６と後枠部材６２との外側面に跨ってロック装置７０が設けられている。ロック装置７０は、係合ピン７２を左右に移動自在に保持して後枠部材６２の右端部外側面に取り付けられたロック本体部材７１と、係合ピン７２の先端部を突入受容する受容孔を有しロック本体部材７１と位置整合して側端開閉部材６６の後側端面に取り付けられた係合部材７３とから構成される。係合ピン７２には側方に突出するつまみ部７２ａが設けられており、作業者がつまみ部７２ａを指で摘んで係合ピン７２を左右に移動させ、図５に示すように係合ピン７２の先端部を係合部材７３の受容孔内に突入させたロック位置と、図６に示すように係合ピン７２の先端部を係合部材７３の受容孔から後退させて離脱させた解放位置とに位置させることができるようになっている。
【００２４】
なお、ロック本体部材７１には、つまみ部７２ａを左右に移動させるための移動溝と、この移動溝の左右端部において周方向に延びてつまみ部７２ａを受容して左右方向の移動を拘束する拘束溝とが形成されており、つまみ部７２ａを回転させて左右の拘束溝内に位置させてロック位置もしくは解放位置で保持し、この位置からつまみ部７２ａを移動溝に対向する位置まで回転させてつまみ部７２ａを移動溝内で移動させることにより係合ピン７２をロック位置と解放位置との間で移動させることができるように構成されている。
【００２５】
次に、以上のように構成された搬送パレット３０に複数のパチンコ機ＰＭを立設状態で整列保持して搬送する方法について、図１０を参照して説明する。なお、この図ではパチンコ機ＰＭをそのままの状態で搬送パレット３０上に載置するように示しているが、通常は梱包された状態のパチンコ機ＰＭが搬送パレット３０上に載置される。
【００２６】
まず、ロック装置７０のつまみ部７２ａを摘んで係合ピン７２を解放位置に移動させ、係合ピン７２の先端部を係合部材７３の受容孔から離脱させ、係合ピン７２と係合部材７３との係合を解除する。これにより、側端開閉部材６６はヒンジ６８を中心として上下方向に揺動自在となるため、図１０において中央の支持枠６０について示すように側端開閉部材６６を外側に揺動させて開放位置に移動させ、この支持枠６０における配設空間６４の右端側を開放させる。そして、この開放部からパチンコ機ＰＭを矢印Ｂ方向に示す方向に移動させてパチンコ機ＰＭの外枠１の下部を配設空間６４内に収容させる。このとき、後枠部材６２がパチンコ機ＰＭの後面に対向し、前枠部材６１が前面に対向するようにしてパチンコ機ＰＭの下部を配設空間６４内に入り込ませる。配設空間６４は右端部において開放されているため、パチンコ機ＰＭを図示のように立設させた状態で矢印Ｂ方向にスライド移動させるだけでよく、搬送パレット３０への搭載作業が容易である。
【００２７】
このようにして、支持枠６０の配設空間６４内に所定数（本例では２台）のパチンコ機ＰＭを搭載した後、側端開閉部材６６を閉塞位置まで揺動させて配設空間６４の右端部を閉塞させ、ロック装置７０により施錠する。これにより、配設空間６４内に搭載されたパチンコ機ＰＭは、三つの支持枠６０，６０，６０にそれぞれ２台ずつ整列保持される。こうして整列保持された状態では、各パチンコ機ＰＭの下部の前面（幕板１ｅ）が前枠部材６１により支持され、下部の後面が後枠部材６２により支持され、且つ２台並んだパチンコ機ＰＭの左右側面が側端閉塞部材６５及び側端開閉部材６６により支持される。この結果、搬送パレット３０の上に２台ずつ３列に整列して合計６台のパチンコ機ＰＭが立設状態で安定して搭載される。
【００２８】
搬送パレット３０では、前列と他の列のパチンコ機が互いに背を向けた状態で搭載されるように、３列の支持枠６０，６０，６０の配向方向を設定しており（図１を参照）、６台のパチンコ機を搭載する場合には、全３列に搭載されたパチンコ機の全体外周をゴムバンド等で縛ることにより（また必要に応じて前列と中列のパチンコ機の外周をゴムバンド等で縛ることにより）、４台のパチンコ機を搭載する場合には前列と後列（または前列と中列）に搭載して外周をゴムバンド等で縛ることにより、各列のパチンコ機が背の高い後枠部材６２に支持されて、各パチンコ機がさらに安定して支持されるようになっている（図１８を参照）。
【００２９】
なお、３列の支持枠６０，６０，６０が、パレット本体上に予め固着されている例を示したが、各支持枠６０，６０，６０を各列ごとに、あるいは３列の支持枠を一体的に、例えば軸ピンとピン孔の嵌合等を利用してパレット本体上に着脱可能に構成することも好ましい構成形態である。このような構成によれば、適宜、支持枠６０を装着し、あるいは取り外すことで搬送パレットを使用目的に応じて多様に利用することができる。例えば全３列の支持枠を装着してパチンコ機ＰＭを多数積載する利用形態の他、前後の２列を装着して中間に付属品を積載する利用形態、全３列を取り外して通常の荷物運搬用パレットとして使用する利用形態など、目的に応じて多様に利用可能であり、かつ全列を取り外すことでかさばらずにパレット本体を縦積み収容することができる。
【００３０】
また、支持枠６０，６０，６０を各列ごとに着脱自在に構成した場合には、Ｌ字状の配向方向が前後に異なる２種類の支持枠ができることになるが、例えば側端開閉部材６６に配向方向に応じた色彩のペイントを施すことにより、これら２種類の支持枠を識別可能に構成することが望ましい。このように識別可能に構成すれば、搬送パレット３０の組に立て時に誤った支持枠や方向の組み付けを防止し得るとともに、組み付け及び分別収容作業を容易に行うことが可能である。
【００３１】
さらに、以上説明した搬送パレット３０においては、三つの支持枠６０，６０，６０のそれぞれにおいて、右端部に側端開閉部材６６をヒンジ６８により揺動自在に取り付けて構成しているが、図１１に搬送パレット３０の変更例を示すように、三つの側端開閉部材６６を一体に繋げて構成される一体型側端開閉部材８０を用いても良い。このようにすれば、三つの支持枠６０，６０，６０の全てにおいて同時に左端を開放したり、閉塞したりすることができ、操作がより簡単となり、ロック装置７０が図示のように一つでも良くなる。なお、ロック装置７０は一つでも良いが、左右両側に二個設けたり、三つの支持枠６０，６０，６０にそれぞれ合計三個設けても良い。
【００３２】
次に、支持枠６０と異なる構成形態の支持枠６０´を図１２及び図１３に示しており、これらの図面を参照しながら支持枠６０´について説明する。ここで、図１２は支持枠６０´の斜め前方からの斜視図、図１３は支持枠６０´の斜め後方からの斜視図である。なお支持枠６０´も、上述した支持枠６０と同様に図1に示すように３列に並んでパレット本体３１の上に支持基盤５１，５３等を介して取り付けられるように構成されており、これら各部の重複説明は省略する。
【００３３】
支持枠６０´は、前後に所定間隔を隔てて互いに平行且つ左右方向に延びる前枠部材６１´及び後枠部材６２´と、これら前後の枠部材６１´，６２´の下端部を繋いで底面を形成する底面部材６３´と、前後の枠部材６１´，６２´及び底面部材６３´に囲まれて上方に開放する配設空間６４´を左端側において閉塞する側端閉塞部材６５´と、配設空間６４´の右端部に位置して後枠部材６２´の後面にヒンジ６８´を介して左右揺動自在に取り付けられた側端開閉部材６６´とから構成される。なお、後枠部材６２´の高さは上述の保持枠６０の後枠部材６２より低いが、その左右端部において側端閉塞部材６５´及び側端開閉部材６６´が後面側に折れ曲がって後支持部６５ａ´及び６６ａ´が設けられており、これら後支持部６５ａ´及び６６ａ´は上述の保持枠６０の後枠部材６２とほぼ同じ高さを有している。これにより、配設空間６４´内に搭載されたパチンコ機ＰＭの外枠１の後面がこれら後支持部６５ａ´，６６ａ´により支持されるようになっている。
【００３４】
側端開閉部材６６´は、図１３に示すように、後支持部６６ａ´の後面下部においてヒンジ６８´により後枠部材６２´の後面にヒンジ結合されており、ヒンジ６８´を中心として後枠部材６２´に対して左右横開き方向に揺動可能となっている。これにより、側端開閉部材６６´は、配設空間６４´の右端開口部を閉塞する閉塞位置と、閉塞位置から外方に水平揺動して配設空間６４´の右端開口部を外方に開放させる開放位置とに横方向に揺動移動可能である。そして、図１３に示すように、前枠部材６１´の前面と側端開閉部材６６´の前面下部とに跨ってロック装置７０が設けられており、閉塞位置に位置した側端開閉部材６６´をこの位置でロック保持可能となっている。なお、ロック装置７０は上述の支持枠６０に用いられているものと同一構成であり、その詳細説明は省略する。
【００３５】
この構成の支持枠６０´を取り付けた搬送パレットの場合にも、図1及び図１０に示した搬送パレット３０と同様に、複数のパチンコ機ＰＭを立設状態で整列して安定した状態で支持することができる。この支持枠６０´の場合には、側端開閉部材６６´を水平揺動させて開放位置に位置させるという作動上での相違があるだけで、その他の構成及び作動は上述の搬送パレット３０と同一であるので、その説明は省略する。
【００３６】
以上説明した搬送パレット３０は、それぞれ複数のパチンコ機ＰＭが整列支持された状態で上下２段に縦積みされ、上段の搬送パレット３０と下段の搬送パレット３０とがパレット連結固定治具により連結固定されトラック等に積み込まれて輸送される。
【００３７】
第１構成形態のパレット連結固定治具を図１４〜図１７に示しており、以下これらの各図を参照しながらパレット連結固定治具１００について説明する。ここで、図１４はパレット連結固定治具１００（ロック状態）の全体外観図、図１５はパレット連結固定治具１００（ロック状態）の軸方向断面図、図１６は調整状態(ａ)と解放状態(ｂ)におけるパレット連結固定治具１００の軸方向断面図、図１７は調整状態(ａ)と解放状態(ｂ)におけるパレット連結固定治具１００の軸直交方向の断面図（それぞれ図１６中のXVIIａ〜矢視断面図(ａ)、及びXVIIｂ〜矢視断面図(ｂ)）、図１８はパレット連結固定治具１００の使用状況を示す説明図である。
【００３８】
パレット連結固定治具１００は、大別的には、棒体の一端に搬送パレット３０と係脱自在なフック部１１２を有し他端に雄ネジ部１１５が形成された伸縮部材１１０と、棒体の一端に搬送パレット３０と係脱自在なフック部１２２を有し他端に調整本体１２５が固着された本体部材１２０とからなる。
【００３９】
伸縮部材１１０は、直径８〜１２mm程度の鋼棒を利用して構成されており、図１４に示すように、棒体１１１の一端にパレット本体３１の開口部（爪挿入口３５やフック係止孔５５）の位置及び形状に合わせて曲げ成形されたフック部１１２、他端側に雄ネジ部１１５が形成されている。本体部材１２０の軸部も略同様に構成され、棒体１２１の一端にパレット本体３１の開口部の位置及び形状に合わせたフック部１２２が形成され、他端側に調整本体１２５が固着されている。
【００４０】
調整本体１２５は、基端側に上記棒体１２１が固着され先端側に伸縮部材の雄ネジ部１１５を収容するネジ収容部が形成された軸端収容部材１３０と、軸端収容部材１３０に軸まわりに回動可能に枢結されたナット部材１４０と、伸縮部材の雄ネジ部１１５と螺合し得る雌ネジ部１５５を有しナット部材１４０に径方向にのみ変位可能に支持された雌ネジ部材１５０と、雌ネジ部１５５を雄ネジ部１１５に螺合させた状態に保持させる調整位置及び雌ネジ部材１５０を径方向に変位自在な状態にする解放位置に切り替える切り替え部材１６０とを主体として構成される。
【００４１】
軸端収容部材１３０は、一端が閉塞され他端が開放された有底円筒状の本体部１３１からなり、例えば直径２０〜２５mm程度の鋼管を利用して構成され、閉塞された基端側に棒体１２１が溶接されて一体に固着されている。開放された先端側の内周面にはＣ型同心止め輪（スリップリング）１８２を嵌着するリング溝が形成され、開口端部の内面には、次述するナット部材１４０のリング溝にＣ型同心止め輪１８２を嵌合して軸端収容部材１３０に連結させる際にＣ型同心止め輪１８２を縮径させるための円錐テーパ状のガイド面が形成されている。
【００４２】
ナット部材１４０は、六角ナット状のナット部１４１と、このナット部１４１から両側に突出する円筒状の摺動軸部１４２及び支持軸部１４３とからなり、例えば二面幅が２４〜３６mm程度の六角棒材を加工成形して構成される。ナット部材１４０の中心には、雄ネジ部１１５の外径よりも幾分大きめの内径を有して雄ネジ部１１５を挿通させるネジ挿通孔１４４が貫通して形成されている。摺動軸部１４２は、外径が本体部１３１の内径よりも幾分小さめに形成されるとともに、先端側に、Ｃ型同心止め輪１８２を嵌合させるリング溝が形成されている。
【００４３】
このため、ナット部材１４０のリング溝にＣ型同心止め輪１８２を嵌合して摺動軸部１４２を軸端収容部材１３０の開口部に挿入し、Ｃ型同心止め輪１８２を開口縁部のガイド面に当接させて押圧すると、Ｃ型同心止め輪１８２が弾性的に縮径されて本体部１３１の内面に沿って進入し、本体部１３１のリング溝に到達したときに拡径して本体部側のリング溝にも嵌入し、これら内外周のリング溝間に跨って配設されて、軸端収容部材１３０とナット部材１４０とが摺動回転自在に連結される。
【００４４】
雌ネジ部材１５０は、正面視長方形の薄片チップ状をなし、例えば板厚２〜３mm程度の鋼板を打ち抜き成形して構成される。雄ネジ部材１５０における長辺側の一辺には伸縮部材の雄ネジ部１１５と螺合し得る雌ネジ部１５５が形成され、長辺側の他辺には切り替え部材１６０の内周面と係合可能な係合縁面１５２が形成されている。
【００４５】
ナット部材１４０の支持軸部１４３には、図１７に示すように、円筒状の支持軸部１４３を内外に貫通してスリット状の支持溝１４５が１２０度間隔で３箇所形成されている。支持溝１４５の幅及び長さは、雌ネジ部材１５０の板厚及び長さに合わせて、これより幾分大きめに形成されており、雌ネジ部材１５０が径方向にのみ変位可能に支持されるようになっている。支持軸部１４３の先端側には、Ｃ型同心止め輪１８３を嵌着するためのリング溝が形成されている。
【００４６】
切り替え部材１６０は、３箇所の支持溝１４５に雌ねじ部材１５０が支持された状態で支持軸部１４３の外周を覆う円筒状に形成されている。切り替え部材１６０には、この切り替え部材１６０の取り付け姿勢において支持溝１４５と対峙する内周面に、３箇所の支持溝１４５に対応して、比較的小径の突起部１６２と比較的大径の逃げ部１６３とがそれぞれ１２０度間隔で３箇所づつ形成されている。
【００４７】
突起部１６２の内径は、図１７(ａ)に示すように、支持溝１４５と突起部１６２の角度位置を合わせた調整位置において、各突起部１６２の内周面が各雌ねじ部材１５０の係合縁面１５２と係合し雌ネジ部１５５が雄ネジ部１１５と螺合した状態で保持されるように、換言すれば、雌ねじ部材１５０が内径側の雄ネジ部１１５と外径側の突起部１６２との間に挟持された状態で保持されるように設定される。
【００４８】
一方、逃げ部１６３の内径は、図１７(ｂ)に示すように、切り替え部材１６０を調整位置から６０度回動させて、支持溝１４５と逃げ部１６３の角度位置を合わせた解放位置において、雌ネジ部材１５０を径方向にスライド変位自在な状態とし、各雌ねじ部材１５０の係合縁面１５２を各逃げ部１６３の内周面に係合させたときに、雌ネジ部１５５が雄ネジ部１１５から離れた状態になるように設定されている。
【００４９】
このため、切り替え部材１６０を調整位置に設定すると、雌ねじ部材の雌ネジ部１５５と伸縮部材の雄ネジ部１１５とが螺合した状態に保持され、ナット部材１４０を軸まわりに回動させたときに、ナット部材１４０とともに回動する雌ネジ部材の雌ネジ部１５５と伸縮部材の雄ネジ部１１５との螺合に応じて伸縮部材１１０が伸縮される。本明細書において、この状態を「調整状態」という。
【００５０】
一方、切り替え部材１６０を解放位置に設定すると、雌ネジ部材１５０が径方向にスライド変位自在になり、この状態で伸縮部材を軸方向に移動させると、雌雄ネジの傾斜したネジ面の作用により雌ねじ部材１５０が外径方向に押圧されて当該方向にスライド変位し、雄ネジ部１１５と雌ネジ部１５５との螺合が解除されて、伸縮部材１１０を押し引きすることで伸縮が自在な状態になる。本明細書において、この状態を「解放状態」という。
【００５１】
従って、作業者は切り替え部材１６０を解放位置に設定して伸縮部材１１０を押し引きすることでパレット連結固定治具１００の概略的な長さを簡単且つ迅速に合わせることができる。また概略長さを設定した後は、切り替え部材１６０を解放位置から６０度回動して調整位置に設定し、ナット部材のナット部１４１にスパナをかけて回動することで、螺合に応じて伸縮部材１１０を伸縮させて、両端のフック部１１２，１２２に係止された部材（上下の搬送パレット３０，３０）を強固に連結固定させることができる。
【００５２】
切り替え部材１６０の外周面には綾目ローレットが形成されて、切り替え部材の回動操作が容易に行えるように構成されるとともに、切り替え部材１６０及びナット部材１４０には、それぞれ突起部１４２の形成角度位置と、支持溝１４５の形成角度位置を示す合いマーク１６８，１４８が刻印されており（図１４を参照）、切り替え部材１６０が解放位置に設定されているか、調整位置に設定されているかを外観から一目で識別できるようになっている。
【００５３】
なお、支持軸部１４３の先端側には、切り替え部材１６０を装着した状態でＣ型同心止め輪１８３が嵌着されており、切り替え部材１６０の抜け落ちや、これに伴う雌ねじ部材１５０の脱落が防止するように機能する。また伸縮部材１１０の雄ネジ部１１５には、切り替え部材１６０の先端側面と係脱して切り替え部材１６０を挟持固定可能なロックナット１８５が螺合されており、切り替え部材１６０を調整位置に設定してロックナット１８５を締め込むことで、切り替え部材１６０が調整位置にロックされ、輸送中の振動等により締結が緩まないようになっている（ロック状態を示す図１４及び図１５を参照）。
【００５４】
さて次に、以上のように構成されるパレット連結固定治具１００を用いて、上下２段に縦積みした搬送パレット３０，３０を連結固定する手順（作用）について、パレット連結固定治具の使用状況を示す図１８を参照しながら説明する。なお以下の説明では、説明の便宜上、上段の搬送パレットを３０Ｕ、下段の搬送パレットを３０Ｌと表記して説明する。
【００５５】
まず、前述したように各搬送パレット３０Ｕ，３０Ｌにそれぞれパチンコ機ＰＭを複数台（本実施形態の搬送パレット３０においては各６台）ずつ積載してゴムバンド９１，９２で縛り、下段の搬送パレット３０Ｌに積載されたパチンコ機ＰＭの上に、上段の搬送パレット３０Ｕを積み重ねる。
【００５６】
次に、パレット連結固定治具１００のロックナット１８５を緩め、切り替え部材１６０を解放位置に設定する。切り替え部材１６０を解放位置に設定した解放状態では、雌ネジ部材１５０が径方向にスライド変位自在になり、伸縮部材１１０を押し引きすることで雄ネジ部１１５と雌ネジ部１５５との螺合が解除されて、パレット連結治具１００の長さを簡単且つ迅速に合わせることができる。そこで、伸縮部材１１０を押し引きして両端のフック部１１２，１２２のうち一端を上段の搬送パレット３０Ｕの開口部（例えば爪挿入口３５、フック係止孔５５）に、他端を下段の搬送パレット３０Ｌの開口部（例えば爪挿入口３５）にそれぞれ掛止する。この際、パチンコ機ＰＭの左右側方の面にパレット連結固定治具１００を各２組用い、たすき掛けして用いることで、連結固定後の耐震強度を向上させることができる。なお、上段のパチンコ機の配向方向は下段のパチンコ機の配向方向と異なる方向に積載しても良い。
【００５７】
両端のフック部１１２，１２２を上下の搬送パレット３０Ｕ，３０Ｌの各開口部に掛止したら、切り替え部材１６０を解放位置から６０度回動して調整位置に設定し、ナット部１４１にスパナをかけてナット部材１４０を回動する。切り替え部材１６０を調整位置に設定した調整状態では、雌ねじ部材１５０が内径方向の位置で移動規制されて雌ネジ部１５５と伸縮部材の雄ネジ部１１５とが螺合状態に保持される。
【００５８】
このため、ナット部材１４０を回動させたときに、ナット部材１４０とともに回動する雌ネジ部材の雌ネジ部１５５と伸縮部材の雄ネジ部１１５との螺合に応じて伸縮部材１１０が回動することなく伸縮され、たすき掛けした４本のパレット連結固定治具１００に緊張力を発生させることで、上下の搬送パレット３０Ｕ，３０Ｌがネジ締結力をもって強固に連結固定される。調整位置と解放位置との切り換えは、雌ネジ部材の位置状態を切り替えることで行われるため、切り替え操作に伴って伸縮部材１１０や本体部材１２０が回動してしまうようなことがなく、良好な作業性を確保することができる。
【００５９】
そして、ロックナット１８５を指締めして切り替え部材１６０に突き当て、スパナで締め込むと、切り替え部材１６０が調整位置にロックされるとともに、ナット部材１４０と伸縮部材１１０とが一体に連結されて固定され、輸送中の振動等により締結が緩まないように作用する。
【００６０】
これにより、上下２段に縦積みされた搬送パレット３０Ｕ，３０Ｌをフォークリフト等により一括して搬送することができ、出荷効率を倍増させることができる。また倉庫保管時には、出荷時に連結固定された状態でそのまま地震対策とすることができるほか、新たに設置する場合においても複数のパレットを迅速かつ簡単に連結固定することができる。なお、搬送パレットの連結固定を解除する場合には上記と逆の手順で行えばよい。
【００６１】
従って、以上説明したようなパレット連結固定治具１００を利用した多重パレット搬送システムＰＨによれば、繁雑な作業を伴うことなく多数のパチンコ機を安定して運搬可能であるとともに、倉庫保管時の地震対策としてもそのまま利用することができる。
【００６２】
次に、第２構成形態のパレット連結固定治具２００について、図１９及び図２０を参照しながら説明する。ここで、図１９は図１５に対応する図面でありパレット連結固定治具２００（ロック状態）の軸方向断面図、図２０は図１６(ｂ)に対応しパレット連結固定治具２００（調整状態）の軸方向断面図である。なお、本構成形態のパレット連結固定治具２００は、主として雌ねじ部材と切り替え部材の構成のみが前述したパレット連結固定治具１００と相違し、他の部分は同様であるので、既に説明した同様部分に同一番号を付して重複説明を省略し、相違する雌ねじ部材及び切り替え部材の構成について簡潔に説明する。
【００６３】
パレット連結固定治具２００では、雌ねじ部材２５０が正面視台形の薄片チップ状をなし、前述の雌ねじ部材１５０と同様の板材を用いて形成される。雌ねじ部材２５０における長辺側の一辺には雄ネジ部１１５と螺合し得る雌ネジ部２５５が形成され、長辺側の他辺は切り替え部材２６０の円錐状の内周面（円錐係合面）２６２と同一角度で傾斜し、この円錐係合面２６２と係合可能な係合縁面２５２が形成されている。
【００６４】
ナット部材１４０の支持軸部１４３には、この支持軸部を内外に貫通するスリット状の支持溝１４５が１２０度間隔で３箇所形成されている（図１７を参照）。支持溝１４５の幅及び長さは、雌ネジ部材２５０の板厚及び長さに合わせて、これより幾分大きめに形成されており、雌ネジ部材２５０が径方向にのみ変位可能に支持されるようになっている。支持軸部１４３の先端側には、雌ねじ部材２５０及び切り替え部材２６０の脱落を防止するＣ型同心止め輪１８３が嵌着される。
【００６５】
切り替え部材２６０は、３箇所の支持溝１４５に雌ねじ部材２５０が支持された状態で支持軸部１４３の外周を覆う円筒状に形成されている。切り替え部材２６０の内周面は、５〜１５度程度の傾斜角でナット部側に開く円錐状をなし、雌ねじ部材の係合縁面２５２と面係合可能な円錐係合面２６２が形成されている。
【００６６】
円錐係合面２６２は、図１９に示すように、切り替え部材２６０をナット部材のナット部１４１側に移動させた調整位置において、円錐係合面２６２と係合縁面２５２とのテーパ面同士の作用により雌ねじ部材を内径側に変位させ、雌ネジ部２５５が雄ネジ部１１５と螺合した状態で保持されるように、換言すれば、雌ねじ部材２５０が雄ネジ部１１５と円錐係合面２６２との間に挟持された状態で保持されるように設定される。
【００６７】
一方、切り替え部材２６０をＣ型同心止め輪１８３側に移動させた解放位置では、雌ネジ部材２５０が径方向にスライド変位自在な状態となり、各雌ねじ部材を外径側に変位させて係合縁面２５２を円錐係合面２６２に係合させたときに、雌ネジ部２５５が雄ネジ部１１５から離れた状態になるように設定される。
【００６８】
ナット部材１４０の先端側の外周面と切り替え部材２６０のＣ型同心止め輪側の内周面には、相互に螺合する雌雄のネジが形成されており、例えば切り替え部材２６０を９０度回動させることで、切り替え部材２６０が調整位置と解放位置との間で回動しながら軸方向に変位するように構成される。
【００６９】
このため、切り替え部材２６０を調整位置に設定すると、雌ねじ部材の雌ネジ部２５５と伸縮部材の雄ネジ部１１５とが螺合した状態に保持され、ナット部材１４０を軸まわりに回動させたときに、ナット部材１４０とともに回動する雌ネジ部材の雌ネジ部２５５と伸縮部材の雄ネジ部１１５との螺合に応じて伸縮部材１１０が伸縮される。
【００７０】
また、切り替え部材２６０を解放位置に設定すると、雌ネジ部材２５０が径方向にスライド変位自在になり、この状態で伸縮部材１１０を軸方向に移動させると、雌雄ネジの傾斜したネジ面の作用により雌ねじ部材２５０が外径方向に押圧されて当該方向にスライド変位し、雄ネジ部１１５と雌ネジ部２５５との螺合が解除されて、伸縮部材１１０を押し引きすることで伸縮が自在な状態になる。
【００７１】
従って、切り替え部材２６０を解放位置に設定して伸縮部材１１０を押し引きすることでパレット連結固定治具２００の概略的な長さを簡単且つ迅速に合わせることができ、両端のフック部１１２，１２２の一端を上段の搬送パレット３０Ｕの開口部に、他端を下段の搬送パレット３０Ｌの開口部に容易に掛止することができる。そして、切り替え部材２６０を９０度回動して調整位置に設定し、ナット部１４１にスパナをかけてナット部材１４０を回動する。すると、ナット部材１４０とともに回動する雌ネジ部材の雌ネジ部２５５と伸縮部材の雄ネジ部１１５との螺合に応じて伸縮部材１１０が伸縮され、上下の搬送パレット３０Ｕ，３０Ｌがネジ締結力をもって強固に連結固定される。調整位置と解放位置との切り換えは、雌ネジ部材の位置状態を切り替えることで行われるため、切り替え操作に伴って伸縮部材１１０や本体部材１２０が回動してしまうようなことがなく、良好な作業性を確保することができる。
【００７２】
そして切り替え部材２６０を調整位置に設定してロックナット１８５をスパナで締め込むと、切り替え部材２６０が調整位置にロックされるとともに、ナット部材１４０と伸縮部材１１０とが一体に連結されて固定され、輸送中の振動等により締結が緩まないように作用する。これにより、上下２段に縦積みされた搬送パレット３０Ｕ，３０Ｌをフォークリフト等により一括して搬送することができ、出荷効率を倍増させることができる。また倉庫保管時には、出荷時に連結固定された状態でそのまま地震対策とすることができ、新たに設置する場合においても複数のパレットを迅速かつ簡単に連結固定することができる。なお、搬送パレットの連結固定を解除する場合には上記と逆の手順で行えばよい。
【００７３】
従って、以上説明したパレット連結固定治具２００においても、前述したパレット連結固定治具１００を利用した多重パレット搬送システムＰＨと同様に、繁雑な作業を伴うことなく多数のパチンコ機を安定して運搬可能であるとともに、倉庫保管時の地震対策としてもそのまま利用することができる。なお、パレット連結固定治具１００，２００に代えていわゆるターンバックルを用いて多重パレット搬送システムを構築することもできる。
【図面の簡単な説明】
【００７４】
【図１】上記搬送パレット上に載置されて搬送される遊技機の代表例として示すパチンコ機の正面図である。
【図２】上記パチンコ機の背面図である。
【図３】上記パチンコ機の側面図である。
【図４】第1構成形態の搬送パレットを示す全体斜視図である。
【図５】上記搬送パレットを構成する支持枠の後面図である。
【図６】上記支持枠の動作変位を示す後面図である。
【図７】上記支持枠（支持枠フレーム）の平面図である。
【図８】上記支持枠（支持枠フレーム）の右端部の平面図である。
【図９】上記支持枠の右端部の側面図である。
【図１０】上記搬送パレットにパチンコ機を搭載する方法を説明する斜視図である。
【図１１】第1構成形態の搬送パレットの変形例を示す斜視図である。
【図１２】第２構成形態の搬送パレットを構成する支持枠の前方からの斜視図である。
【図１３】第２構成形態の搬送パレットを構成する支持枠の後方からの斜視図である。
【図１４】第１構成形態のパレット連結固定治具（ロック状態）の全体外観図である。
【図１５】上記パレット連結固定治具（ロック状態）の軸方向断面図である。
【図１６】調整状態(ａ)と解放状態(ｂ)における上記パレット連結固定治具の軸方向断面図である。
【図１７】調整状態(ａ)と解放状態(ｂ)における上記パレット連結固定治具の軸直交方向の断面図であり、それぞれ図１６中のXVIIａ〜矢視断面図(ａ)、及びXVIIｂ〜矢視断面図(ｂ)である。
【図１８】上記パレット連結固定治具の使用状況を示す説明図である。
【図１９】第２構成形態のパレット連結固定治具（ロック状態）の軸方向断面図である。
【図２０】第２構成形態のパレット連結固定治具（調整状態）の軸方向断面図である。
【符号の説明】
【００７５】
ＰＭ  パチンコ機
ＰＨ  多重パレット搬送システム
１  外枠                            １ａ  上枠板
１ｂ，１ｃ  左右枠板                １ｄ  底枠板
１ｅ  幕板                          １ｆ  補強連桿
２  前枠                            ３ａ，３ｂ  開閉ヒンジ
４  施錠装置                        ５  ガラス扉
６  収容枠                          ７ａ，７ｂ  球皿
８  発射ハンドル                    １０  遊技盤
１１  遊技領域                      １５  案内レール
２１  タンク                        ２２  整列部材
２３  ターミナル基板                ２４  球通路機構
２５  制御基板                      ２６  払い出し機構
３０  搬送パレット（３０Ｕ、３０Ｌ  上段、下段の搬送パレット）
３１  パレット本体                  ３２  下面板部
３３  支柱部                        ３４  上面板部
３５  爪挿入口                      ５１，５２，５３  支持基盤
５５  フック係止孔                  ６０，６０´  支持枠
６１，６１´  前枠部材              ６２，６２´  後枠部材
６３，６３´  底面部材              ６４，６４´  配設空間
６５，６５´  側端閉塞部材          ６５ａ´  後支持部
６６，６６´  側端開閉部材          ６６ａ´  後支持部
６８，６８´  ヒンジ                ７０  ロック装置
７１  ロック本体部材                ７２  係合ピン
７２ａ  つまみ部                    ７３  係合部
８０  一体型側端開閉部材            ９１，９２  ゴムバンド
１００  パレット連結固定治具（第１構成形態）
１１０  伸縮部材                    １１１棒体
１１２  フック部                    １１５  雄ネジ部
１２０  本体部材                    １２１  棒体
１２２  フック部                    １２５  調整本体
１３０  軸端収容部材                １３１  本体部
１４０  ナット部材                  １４１  ナット部
１４２  摺動軸部                    １４３  支持軸部
１４４  ネジ挿通孔                  １４５  支持溝
１４８  合いマーク                  １５０  雌ネジ部材
１５２  係合縁面                    １５５  雌ネジ部
１６０  切り替え部材                １６２  突起部
１６３  逃げ部                      １６８  合いマーク
１８２  Ｃ型同心止め輪              １８３  Ｃ型同心止め輪
１８５  ロックナット
２００  パレット連結固定治具（第２構成形態）
２５０  雌ねじ部材                  ２５２  係合縁面
２５５  雌ネジ部                    ２６０  切り替え部材
２６２  円錐係合面
【図１】
2007022728.tif 000003
【図２】
2007022728.tif 000004
【図３】
2007022728.tif 000005
【図４】
2007022728.tif 000006
【図５】
2007022728.tif 000007
【図６】
2007022728.tif 000008
【図７】
2007022728.tif 000009
【図８】
2007022728.tif 000010
【図９】
2007022728.tif 000011
【図１０】
2007022728.tif 000012
【図１１】
2007022728.tif 000013
【図１２】
2007022728.tif 000014
【図１３】
2007022728.tif 000015
【図１４】
2007022728.tif 000016
【図１５】
2007022728.tif 000017
【図１６】
2007022728.tif 000018
【図１７】
2007022728.tif 000019
【図１８】
2007022728.tif 000020
【図１９】
2007022728.tif 000021
【図２０】
2007022728.tif 000022